(57)【要約】【課題】  周辺配管の解体することなく、配管への管の取り付け及び配管からの管の取り出しを容易に行うことができると共に、その設置に広いスペースを必要としない管の取付構造を提供する。【解決手段】  配管の軸方向に沿って所定間隔を隔てた状態で固定される一対の固定管２，３と、その一対の固定管２，３の間に設けられる着脱管２０と、一方の固定管２に設けられ、着脱管２０を圧着する圧着管１０とを備えており、圧着管１０が一対の固定管２，３の間を軸方向に沿って移動し、着脱管２０を他方の固定管３に圧着固定する構造である。【選択図】  図２
2007056941.tif 000002
【特許請求の範囲】
【請求項１】
配管の軸方向に沿って所定間隔を隔てた状態で固定される一対の固定管と、
その一対の固定管の間に設けられる着脱管と、
一方の固定管に設けられ、前記着脱管を圧着する圧着管とを備え、
前記圧着管は一対の固定管の間を軸方向に沿って移動し、前記着脱管を他方の固定管に圧着することを特徴とする管の取付構造。
【請求項２】
前記着脱管の内側には逆止弁ユニットを設けたことを特徴とする請求項１記載の管の取付構造。
【請求項３】
前記一対の固定管は互いに棒材で連結されており、前記着脱管が前記棒材に対して回動可能に支持された構造であることを特徴とする請求項１又は２記載の管の取付構造。
【請求項４】
前記圧着管は前記一方の固定管の外周側面に螺合された環状操作部と連結されており、
前記環状操作部を配管の軸周りに回動させることにより、前記圧着管が軸方向に沿って移動することを特徴とする請求項１乃至３のいずれかに記載の管の取付構造。
【請求項５】
前記環状操作部の外周側面には、ハンドル部材を立設させた状態で支持するための支持部が形成されることを特徴とする請求項４記載の管の取付構造。
【請求項６】
前記着脱管が前記一対の固定管の間に圧着された状態で、少なくとも前記環状操作部を覆うように配置されたカバーを備えることを特徴とする請求項４又は５記載の管の取付構造。
【請求項７】
前記着脱管の外周側面には、着脱管内側の圧力を抜くための孔が形成され、この孔に栓が設けられることを特徴とする請求項１乃至６のいずれかに記載の管の取付構造。
【発明の詳細な説明】
【技術分野】
【０００１】
本発明は、配管に対して管を着脱可能に取り付けるための構造に関し、特に逆止弁等の流れを制御する機能を備えた管を配管途中において交換可能に取り付けるための構造に関する。
【背景技術】
【０００２】
給水配管において水の逆流を防止することが重要視されるようになってきたため、例えば逆流防止機能を具備していない既設給水配管に対して新たに逆止弁ユニットを取り付けることが行われている。また、予め逆止弁ユニットが取り付けられている給水配管であっても、経年変化等によって逆止弁の逆流防止機能が低下するため、一定期間毎に逆止弁ユニットのメンテナンスや交換作業を行うことが必要である。
【０００３】
ところが、従来の配管に対する逆止弁ユニットの取付構造は、配管の一次側に固定される一次側固定管と二次側に固定される二次側固定管とを互いに接合させた状態で固定し、その接合部の内側に逆止弁ユニットを収容した状態で封止する構造である。そのため、この配管から逆止弁ユニットを取り出すためには、一次側固定管と二次側固定管の接合部を分離することが必要となり、固定管が接続された周辺配管を解体しなければならないという問題があった。
【０００４】
またそのような問題を避けるため、従来、配管の一次側と二次側の間に作業者の手が入る程度の内部空間を形成し、この内部空間から二次側流路への流出口に逆止弁ユニットを取り付けた構造のものが存在する。この場合、通常の使用状態において前記内部空間は複数本のボルトで固定されるカバー部材によって密閉されており、逆止弁ユニットのメンテナンス時にはカバー部材を外し、作業者が前記内部空間に手を挿入して逆止弁ユニットを取り外すことができるので、周辺配管を解体せずに作業することができる。
【０００５】
しかしながら、この場合でも、逆止弁ユニットを取り出す際には複数本のボルトを外してカバー部材を取り除かなければならないので作業性が悪く、しかも逆止弁ユニットの取付構造が配管に対して著しく大型化するので十分なスペースを確保できない場合には上述の構造体を配管途中に設けることができないという問題がある。
【０００６】
また従来、水道配管に設けられるメータユニットにおいて、量水器の一次側若しくは二次側に、逆止弁ユニットを内蔵した逆流防止装置を連結したものが使用されているが、このメータユニットでは量水器を取り外さなければ逆流防止装置から逆止弁ユニットを取り外すことができないという問題があった。
【発明の開示】
【発明が解決しようとする課題】
【０００７】
本発明は、上記従来の問題点を解決することを目的としてなされたものであり、周辺配管の解体することなく、逆止弁等の流れを制御する機能を備えた管の配管への取り付け及び配管からの取り出しを容易に行うことができると共に、その設置に広いスペースを必要とせず、しかもメータユニットに取り付ける場合であっても逆止弁等のメンテナンス時に量水器の取り外しを必要としない管の取付構造を提供するものである。
【課題を解決するための手段】
【０００８】
上記目的を達成するため、本発明に係る管の取付構造が解決手段として採用したところは、配管の軸方向に沿って所定間隔を隔てた状態で固定される一対の固定管と、その一対の固定管の間に設けられる着脱管と、一方の固定管に設けられ、前記着脱管を圧着する圧着管とを備え、前記圧着管が一対の固定管の間を軸方向に沿って移動し、前記着脱管を他方の固定管に圧着する構成とした点にある。これにより、一対の固定管を配管にそれぞれ固定した状態のままで、着脱管を圧着固定して取り付けることができる。逆に、その圧着状態を解除すれば二つの固定管の間から着脱管を取り出すことができる。
【０００９】
また前記着脱管の内側には逆止弁ユニットを設けることにより、一対の固定管を配管にそれぞれ固定した状態のままで、二つの固定管の間に着脱管を圧着固定して逆止弁ユニットを取り付けることができる一方、その圧着状態を解除すれば二つの固定管の間から着脱管を取り出すことができるので、二つの固定管を配管にそれぞれ固定した状態のままで逆止弁ユニットを取り出すことができる。
【００１０】
また一対の固定管を互いに棒材で連結し、着脱管がその棒材に対して回動可能に支持された構造とすれば、着脱管を二つの固定管の間から取り出した際に、着脱管が棒材から外れることがなくなる。
【００１１】
また圧着管を一方の固定管の外周側面に螺合された環状操作部と連結し、この環状操作部を配管の軸周りに回動させることにより、圧着管が配管の軸方向に沿って移動する構成とすることにより、ボルト等の着脱作業を必要せずに、着脱管を簡単に圧着固定でき、またその圧着状態を解除できるようになる。
【００１２】
また環状操作部の外周側面に、ハンドル部材を立設させた状態で支持するための支持部を形成することにより、環状操作部にハンドル部材を立設させて回動操作を行うことができるようになり、作業効率が向上する。
【００１３】
また着脱管が一対の固定管の間に圧着された状態で、少なくとも環状操作部を覆うように配置されるカバーを設けることにより、着脱管を取り外す時以外に環状操作部が操作されることを防止できる。
【００１４】
更に着脱管の外周側面に、着脱管内側の圧力を抜くための孔を形成しておくと共に、その孔に栓を設けた構成とすることにより、その栓を孔から抜けば着脱管内部を減圧できるようになる。特に着脱管の内側に逆止弁ユニットを設けている場合には、その逆止弁ユニットを取り出す際に予め着脱管内部を減圧しておくことができる。
【発明の効果】
【００１５】
本発明に係る管の取付構造によれば、一対の固定管を配管にそれぞれ固定した状態のままで、管路からの着脱管の脱着が可能であるので、周辺配管を解体することなく、着脱管の配管への取り付け及び配管からの取り出しを容易に行うことができる。また着脱管の内側に逆止弁ユニットを設ける場合には、周辺配管を解体することなく、逆止弁ユニットの取り付け及び取り出しを容易に行うことができるようになる。このような管の取付構造は、配管途中に設置する際、広いスペースを必要しないので、比較的狭いスペースであっても設置することができるという利点がある。更に、この構造をメータユニットに適用した場合には、量水器を取り外すことなく着脱管や逆止弁ユニットを取り出すことができ、作業効率が向上する。
【発明を実施するための最良の形態】
【００１６】
以下、図面に基づいて本発明の好ましい実施形態を詳述する。尚、以下においては、一例として、逆止弁ユニットを収容する着脱管を給水配管の途中に対して着脱可能に取り付ける構造を備えた逆流防止装置を例示する。図１乃至図４のそれぞれは逆流防止装置１の一構成例を示す図であり、各図において液体は右向きに流れる。尚、図２は、図１のＩ−Ｉ断面を部分的に示す図である。
【００１７】
この逆流防止装置１は、配管の軸方向に沿って所定間隔を隔てた状態で配置される一対の固定管２，３を備え、例えば配管を流れる流路の上流側を一次側、下流側を二次側とすると、固定管２は一次側配管に連結された状態で固定され、固定管３は二次側配管に連結された状態で固定される。そして固定管２の二次側開口端部と固定管３の一次側開口端部は互いに対向する状態に設けられる。各固定管２，３の外周側面にはフランジ４，５が設けられており、このフランジ４，５には、固定管２，３の互いに対向する開口端部を所定間隔離した状態で固定管２，３を連結する連結手段６が設けられる。本実施形態では連結手段６は配管の周りに約９０度間隔で設置された３本の棒材７によって構成される。
【００１８】
そして固定管２の二次側開口端部には固定管３の開口端部に向かって進退する圧着管１０が設けられており、この圧着管１０の固定管３と対向する端面にはＯリング１１が設けられる。また圧着管１０の一次側外周側面は固定管２の内壁に摺接し、その摺接部分にはＯリング１２が設けられる。圧着管１０は環状の連結具１３を介して環状操作部１５に連結される。環状操作部１５は固定管２の外周側面に形成された螺刻部１４と螺合した状態で設けられており、この環状操作部１５を配管の軸周りに回動せしめることで、連結された圧着管１０を配管の軸方向に沿って移動させる構造である。そして環状操作部１５の回動操作を容易にするため、環状操作部１５の外周側面にはハンドル部材１６を立設した状態で支持するための支持部１７が形成される。ハンドル部材１６はこの支持部１７に対して着脱可能であり、環状操作部１５を回動操作しないときにはハンドル部材１６を取り外しておくことが好ましい。尚、圧着管１０が固定管３の開口端部から最も退避した状態では、圧着管１０と固定管３の間に形成される空隙の軸方向の長さは、後述する着脱管２０の軸方向寸法よりも若干大きくなるように形成される。
【００１９】
一対の固定管２，３の間、より具体的には固定管２に取り付けられた圧着管１０と固定管３の間には、逆止弁ユニット３０を内側に収容する着脱管２０が設けられる。逆止弁ユニット３０は逆止弁を内蔵しており、二次側から一次側への流体の逆流を防止する機能を備えている。着脱管２０はこの逆止弁ユニット３０を着脱可能に収容し、棒材７によって互いに連結された固定管２，３の間に形成される空隙に介挿され、固定管３の一次側開口端部に装着される。固定管３と着脱管２０の接合部分にはＯリング３１が設けられており、着脱管２０を固定管３の一次側開口端部に装着したとき、管内からの液漏れを防止する。また着脱管２０には逆止弁ユニット３０の二次側圧力を抜くための孔２３が形成されており、この孔２３には栓２４が設けられる。
【００２０】
着脱管２０の外周側面の一部には突部２１が設けられており、その突部２１には貫通孔が形成され、連結手段６を構成する棒材７のひとつが挿通される。このため着脱管２０は突部２１に挿通された棒材７の軸方向に沿って摺動可能であると共に、その棒材７を中心に回動可能に支持される。そして着脱管２０を棒材７の周りに回動させることにより、着脱管２０を一対の固定管２，３の間に介挿した状態で設けることができ、また逆に固定管２，３の間に介挿した状態から着脱管２０を取り出すことができる。
【００２１】
そして逆止弁ユニット３０を収容した状態の着脱管２０を固定管２，３の間に介挿し、固定管３の一次側開口端部に装着した状態で、環状操作部１５を回動操作して圧着管１０を着脱管２０に向かって移動させることにより、圧着管１０が着脱管２０を二次側に付勢し、固定管２，３の間に着脱管２０を圧着固定する構造である。逆に、環状操作部１５を反対方向に回動操作すれば、圧着管１０が着脱管２０から退避して圧着状態を開放する。
【００２２】
次に、上記構成を有する逆流防止装置１に対して逆止弁ユニット３０を取り付ける手順について説明する。図３は図２の状態から着脱管２０を棒材７の周りに若干回動させた状態を示す図であり、図４はさらに着脱管２０を回動させ、着脱管２０に対して逆止弁ユニット３０を着脱する際の状態を示す図である。図４に示すように着脱管２０をひとつの棒材７の周りに回動させ、着脱管２０が棒材７よりも外側に位置する状態とする。この状態では着脱管２０の両開口端部は開放された状態となり、例えば着脱管２０の二次側開口端部から逆止弁ユニット３０を着脱管２０の内部に装着する。このとき、逆止弁ユニット３０の周縁部に設けられたＯリング３２の作用により着脱管２０の内壁と逆止弁ユニット３０の外周側面とが密着し、逆止弁ユニット２０の外側を流体が通過することを防止する。
【００２３】
そして着脱管２０を棒材７の周りに回動させて、固定管２，３の間に形成された隙間に着脱管２０を介装させて配置すると共に、着脱管２０を固定管３の一次側開口端部に装着する。そして環状操作部１５に取り付けたハンドル部材１６を操作することにより、環状操作部１５を回動させ、圧着管１０を着脱管２０に圧着させて固定する。これにより、逆止弁ユニット３０は配管途中の適切な位置に固定されることになる。尚、この状態で長時間使用する場合には、環状操作部１５からハンドル部材１６を取り外しておく。
【００２４】
次に、逆流防止装置１から逆止弁ユニット３０を取り出す際には、まず着脱管２０の孔２３に設けられた栓２４を抜き、予め逆止弁ユニット３０の二次側圧力を減圧しておく。これにより、その後の作業が進めやすくなる。そしてその後、上述の取り付け手順と逆の手順を行う。すなわち、環状操作部１５に対してハンドル部材１６を取り付け、このハンドル部材１６を操作して環状操作部１５を回動せしめ、圧着管１０が着脱管２０に圧着した状態を解除する。そして圧着管１０と着脱管２０との間に生じる若干の隙間に対して着脱管２０を移動させ、着脱管２０が棒材７の周りに回動可能な状態とする。そして着脱管２０を棒材７の周りに回動させて着脱管２０が棒材７よりも外側に位置する状態とする。この状態で着脱管２０の一次側から逆止弁ユニット３０を押し込むことにより、二次側開口端部より逆止弁ユニット２０を取り出すことができる。
【００２５】
このような逆流防止装置１は、両端部の固定管２，３を一次側配管及び二次側配管に固定した状態のままで、着脱管２０の取り付け及び取り出しができるので、周辺配管を解体することなく、着脱管２０の配管への取り付け及び配管からの取り外しを行うことができる。またこの着脱可能な着脱管２０に逆止弁ユニット３０を設けているので、逆止弁ユニット３０についても同様に、周辺配管を解体することなく、取り付け及び取り外しが可能である。そしてボルト等の締着作業を伴わないので、簡単且つ効率的に作業を行えるという利点がある。しかも、この逆流防止装置１はその設置に広いスペースを必要としないコンパクトな構造体として実現できるのである。
【００２６】
また本実施形態では、着脱管２０が棒材７に対して回動可能に支持されているので、逆止弁ユニット３０のメンテナンス作業を行うために着脱管２０を固定管２，３の間から取り出したときでも着脱管２０が逆流防止装置１から分離されることはない。そのため作業途中で着脱管２０を紛失するようなことがなく、作業効率も向上する。但し、着脱管２０を棒材７に対して連結せず、逆流防止装置１から完全に分離することができる態様であっても構わない。
【００２７】
図５は上述の逆流防止装置１の側面をカバー３５で覆う構成例を示す図であり、（ａ）はカバー３５を閉じた状態を示しており、（ｂ）はカバー３５を開いた状態を示している。尚、（ａ）及び（ｂ）のいずれも配管の軸方向から逆流防止装置１を見た図である。このカバー３５は開閉カバー３６と固定カバー３７を備えた構成である。固定部材３７は例えばフランジ４，５を連結する連結手段６によって逆流防止装置１に固定されており、開閉部材３６はその固定部材３７の一端に対して回動可能に支持されている。通常の使用状態においては図５（ａ）のように開閉カバー３６を閉じた状態とし、環状操作部１５が操作されることを防止する。一方、逆止弁ユニット３０のメンテナンス時には開閉カバー３６を開き、環状操作部１５を顕わにして、その環状操作部１５にハンドル部材１６を取り付ける。そして環状操作部１５を回動せしめて圧着管１０による着脱管２０の圧着状態を解除すると共に、着脱管２０を棒材７の周りに回動させて逆止弁ユニット３０の取り出しを可能な状態とする。
【００２８】
このように逆流防止装置１の側面をカバー３５で覆うことにより、逆止弁ユニット３０のメンテナンス時以外には環状操作部１５が操作されることはなく、圧着管１０による着脱管２０の圧着状態が緩むことを防止できる。尚、カバー３５によって環状操作部１５が操作されることを防止する場合、カバー３５は少なくとも環状操作部１５を覆うように配置されていればよく、必ずしも逆流防止装置１の側面全体を覆う必要はない。
【００２９】
次に、図６は上述の逆流防止装置１を水道配管に設けられるメータユニット１００に適用した例を示す図であり、（ａ）はメータユニット１００を上から見た図、（ｂ）は側面から見た図である。図６（ａ）及び（ｂ）に示すようにメータユニット１００は、ベース１０３の上に、一次側配管に接続するための接続装置１０１と、その接続装置１０１の二次側に固定される量水器１０２と、更にその量水器１０２の二次側に固定される逆流防止装置１ａが配置された構成である。逆流防止装置１ａは、一次側に設けられる固定管２が量水器１０２との接続に適合するように形成されており、その他は上述の構成と同様である。このように上述の構造を有する逆流防止装置１ａを量水器１０２に直接取り付けてメータユニット１００を構成すると、逆止弁ユニット３０のメンテナンスを行う際には、メータユニット１００から量水器１０２を取り外す必要がなくなり、作業効率が向上するという利点がある。
【００３０】
次に、図７は上述の逆流防止装置１を水道配管に設けられる止水栓２００に適用した例を示す図であり、（ａ）は止水栓２００を上から見た図、（ｂ）は側面から見た図である。図７（ａ）及び（ｂ）に示すように止水栓２００の二次側に逆流防止装置１ｂが接続されており、この逆流防止装置１ｂの二次側には更に止水栓２００を二次側配管に接続するための伸縮管２０２が設けられている。逆流防止装置１ｂは、一次側に設けられる固定管２が止水栓２００との接続に適合するように形成されると共に、二次側に設けられる固定管３が伸縮管２０２との接続に適合するように形成されており、その他は上述の構成と同様である。このように上述の構造を有する逆流防止装置１ｂを止水栓２００に直接取り付けることにより、逆止弁ユニット３０のメンテナンスを行う際には、止水栓２００を配管から取り外す必要がなくなり、作業効率が向上するという利点がある。
【００３１】
以上のように本実施形態の逆流防止装置は、配管の軸方向に沿って配置される一対の固定管２，３を所定間隔を隔てた状態で設け、その一対の固定管２，３の間に着脱管２０を配すると共に、一方の固定管２には着脱管２０を圧着する圧着管１０を設けた構成である。そして圧着管１０は一対の固定管２，３の間を配管の軸方向に沿って移動可能なように構成され、その移動によって着脱管２０を他方の固定管３に圧着するのである。したがって、この逆流防止装置を単に配管の途中に取り付けた場合だけでなく、メータユニット１００や止水栓２００に取り付けた場合であっても、着脱管２０の取り付けや取り出しを容易に行うことができると共に、着脱管２０に収容された逆止弁ユニット３０についても取り付けや取り出しを容易に行うことができるようになる。
【００３２】
尚、上述した実施形態では、着脱管２０の内側に逆止弁ユニット３０が収容されて逆流防止装置として実現される場合を例示したが、着脱管２０に逆止弁以外の部材を取り付けて配管途中に他の機能を付与するようにも構成することができる。そして上述した管の取付構造によれば、そのような他の部材であっても容易にメンテナンスを行うことができるようになる。
【図面の簡単な説明】
【００３３】
【図１】逆流防止装置の一構成例を示す図であり、着脱管を固定管に装着した状態を示す外観図である。
【図２】逆流防止装置の一構成例を示す図であり、着脱管を固定管に装着した状態の一部断面を表した側面図である。
【図３】図２の状態から着脱管を棒材の周りに若干回動させた状態の一部断面を表した側面図である。
【図４】逆止弁ユニットを着脱可能な状態に着脱管を回動させた状態の逆流防止装置を示す図である。
【図５】逆流防止装置の側面をカバーで覆う構成例を示す図であり、（ａ）はカバーを閉じた状態を示しており、（ｂ）はカバーを開いた状態を示している。
【図６】逆流防止装置を水道配管に設けられるメータユニットに適用した例を示す図である。
【図７】逆流防止装置を水道配管に設けられる止水栓に適用した例を示す図である。
【符号の説明】
【００３４】
１，１ａ，１ｂ  逆流防止装置
２，３  固定管
４，５  フランジ
６  連結手段
７  棒材
１０  圧着管
１５  環状操作部
１６  ハンドル部材
１７  支持部
２０  着脱管
２１  突部
２３  孔
２４  栓
３０  逆止弁ユニット
３５  カバー
３６  開閉カバー
３７  固定カバー
【図１】
2007056941.tif 000003
【図２】
2007056941.tif 000004
【図３】
2007056941.tif 000005
【図４】
2007056941.tif 000006
【図５】
2007056941.tif 000007
【図６】
2007056941.tif 000008
【図７】
2007056941.tif 000009